(57)【要約】【課題】画像保存の機会をより確実に認識させる。【解決手段】管理サーバ（４）は、携帯端末（６）への操作に基づいて連絡先情報を取得するユーザアドレス取得部（４１２１）と、連絡先情報と対応付けられた画像データの有無を判定する画像確認部（４１２３）と、画像データを画像管理サービスにおいてユーザが利用できる状態に変更するための案内通知を連絡先情報宛に送信する案内メール作成部（４１２４）とを備える。【選択図】図１
2020016855.tif 000002
【特許請求の範囲】
【請求項１】
写真撮影編集サービスを提供する撮影編集装置から画像データを、通信ネットワークを介して受信し、該画像データを管理する画像管理サービスを提供する管理サーバであって、
ユーザによる携帯端末への操作に基づいて、当該携帯端末への連絡先情報を取得する取得部と、
前記取得部が取得した前記連絡先情報と対応付けられた前記画像データの有無を判定する画像データ有無判定部と、
前記画像データ有無判定部が前記管理サーバに前記画像データが有ると判定した場合、当該画像データを、前記画像管理サービスにおいて当該ユーザが利用できる状態に変更するための案内通知を前記連絡先情報宛に送信する案内通知送信部と、を備えていることを特徴とする管理サーバ。
【請求項２】
前記画像データ有無判定部は、前記管理サーバに、撮影日から所定期間内の画像データであって、前記連絡先情報と対応付けられた前記画像データが有る場合、画像データが有ると判定することを特徴とする請求項１に記載の管理サーバ。
【請求項３】
前記案内通知送信部は、撮影された前記撮影編集装置が異なる画像データであっても、前記連絡先情報と対応付けられた前記画像データであれば、当該画像データの前記状態を変更するための１件の案内通知を送信することを特徴とする請求項１または２に記載の管理サーバ。
【請求項４】
前記取得部は、前記連絡先情報として、前記携帯端末の電子メールアドレス、前記携帯端末にインストールされているＳＮＳ（social networking service）アプリケーションのＩＤ、および前記画像管理サービスのアカウントＩＤのうちの少なくとも何れかを取得することを特徴とする請求項１〜３のいずれか１項に記載の管理サーバ。
【請求項５】
前記画像管理サービスを提供するウェブページに、前記案内通知の送信を求める指示入力画像を表示するウェブページ作成部をさらに備え、
前記のユーザによる携帯端末への操作は、前記指示入力画像に対する入力操作であることを特徴とする請求項１〜４のいずれか１項に記載の管理サーバ。
【請求項６】
前記ウェブページ作成部は、前記入力操作を受け付けたとき、前記携帯端末に対し、送信元を前記携帯端末の連絡先情報、送信先を当該管理サーバで受信可能な連絡先情報とするメッセージを送信可能なメッセージ送信画面を表示させるコマンドを送信することを特徴とする請求項５に記載の管理サーバ。
【請求項７】
請求項１〜６のいずれか１項に記載の管理サーバと通信可能な携帯端末であって、
前記画像データを、前記画像管理サービスにおいて当該ユーザが利用できる状態に変更するための案内通知を前記管理サーバから当該携帯端末に送信させるための指示入力画像を表示する表示制御部と、
ユーザによって前記指示入力画像に対して指示入力が行われたとき、当該携帯端末への連絡先情報を前記管理サーバに送信する送信部と、を備えていることを特徴とする携帯端末。
【請求項８】
前記送信部は、ユーザによって前記指示入力画像に対して指示入力が行われたとき、送信元を当該携帯端末の連絡先情報、送信先を前記管理サーバで受信可能な連絡先情報とするメッセージを送信可能なメッセージ送信画面を表示させることを特徴とする請求項７に記載の携帯端末。
【請求項９】
写真撮影編集サービスを提供する撮影編集装置から画像データを、通信ネットワークを介して受信し、該画像データを管理する画像管理サービスを提供する管理サーバの制御方法であって、
ユーザによる携帯端末への操作に基づいて、当該携帯端末への連絡先情報を取得する取得ステップと、
前記取得ステップで取得した前記連絡先情報と対応付けられた前記画像データの有無を判定する画像データ有無判定ステップと、
前記画像データ有無判定ステップで前記管理サーバに前記画像データが有ると判定した場合、当該画像データを、前記画像管理サービスにおいて当該ユーザが利用できる状態に変更するための案内通知を前記連絡先情報宛に送信する案内通知送信ステップと、を含むことを特徴とする管理サーバの制御方法。
【請求項１０】
写真撮影編集サービスを提供する撮影編集装置から画像データを、通信ネットワークを介して受信し、該画像データを管理する画像管理サービスを提供する管理サーバと通信可能な携帯端末の制御方法であって、
前記画像データを、前記画像管理サービスにおいて当該ユーザが利用できる状態に変更するための案内通知を前記管理サーバから当該携帯端末に送信させるための指示入力画像を表示する表示制御ステップと、
ユーザによって前記指示入力画像に対して指示入力が行われたとき、当該携帯端末への連絡先情報を前記管理サーバに送信する送信ステップと、を含むことを特徴とする携帯端末。
【請求項１１】
請求項７に記載の携帯端末としてコンピュータを機能させるための制御プログラムであって、前記表示制御部、および前記送信部としてコンピュータを機能させるための制御プログラム。
【請求項１２】
請求項１１に記載の制御プログラムを記録したコンピュータ読み取り可能な記録媒体。
【発明の詳細な説明】
【技術分野】
【０００１】
本発明は、被写体を撮影した撮影画像またはその編集画像である画像データを管理する写真管理サービスに係る管理サーバなどに関する。
【背景技術】
【０００２】
近年、写真シール作成装置において生成された撮影画像データをユーザに提供するサービスとして、写真の印刷されたプリントシールをユーザに提供するサービスと合わせて、ユーザの所有する携帯端末に撮影画像を表示させることによって画像をユーザに提供するサービスが広がってきている。
【０００３】
このようなサービスは、画像提供サイトにアクセスすることによって可能となる。画像提供サイトでは、写真シール作成装置にて撮影した撮影画像のうち、ユーザによって指定された画像をいわゆるマイページに保存し、ユーザに閲覧可能としている。
【０００４】
また、画像の保存は、写真シール作成装置におけるプレイ後にユーザのメールアドレス宛に画像保存のためのＵＲＬ入りの案内メールが送付され、当該ＵＲＬから行うのが一般的である。
【０００５】
なお、特許文献１には、写真シール作成装置でのプレイ時刻を記憶し、このプレイ時刻から一定期間（例えば、５日）経過した後に、ユーザのマイページへ画像を保存していないと判断した場合、管理サーバからユーザの携帯端末にメールを送信する技術が記載されている。
【先行技術文献】
【特許文献】
【０００６】
【特許文献１】特開２０１５−１８４７３１号公報（２０１５年１０月２２日公開）
【発明の概要】
【発明が解決しようとする課題】
【０００７】
しかし、上述の従来技術において、ユーザが管理サーバから送信されるメールのアドレスをいわゆる迷惑メールとして設定していた場合、ユーザは、管理サーバから送信されたメールを確認することができない。ユーザは、自身が迷惑メールとして設定したアドレスを認識していないこともあり、上述した状況は十分に起こり得る。
【０００８】
この場合、ユーザは、管理サーバからのメールを確認することができず、自身が写真シール作成装置において撮影した画像をマイページに保存する機会を失うことになってしまう。
【０００９】
本発明の一態様は、上記問題に鑑みてなされたものであり、その目的は、ユーザに対し画像保存の機会をより確実に認識させることができる管理サーバ等を実現することにある。
【課題を解決するための手段】
【００１０】
前記課題を解決するために、本発明の一態様に係る管理サーバは、写真撮影編集サービスを提供する撮影編集装置から画像データを、通信ネットワークを介して受信し、該画像データを管理する画像管理サービスを提供する管理サーバであって、ユーザによる携帯端末への操作に基づいて、当該携帯端末への連絡先情報を取得する取得部と、前記取得部が取得した前記連絡先情報と対応付けられた前記画像データの有無を判定する画像データ有無判定部と、前記画像データ有無判定部が前記管理サーバに前記画像データが有ると判定した場合、当該画像データを、前記画像管理サービスにおいて当該ユーザが利用できる状態に変更するための案内通知を前記連絡先情報宛に送信する案内通知送信部と、を備えていることを特徴としている。
【００１１】
前記の構成によれば、ユーザによる携帯端末への操作に基づいて、当該携帯端末への連絡先を宛先として、画像データを画像管理サービスにおいて当該ユーザが利用できる状態に変更するための案内通知が送信される。
【００１２】
これにより、画像データの上記状態を変更するための機会をユーザに認識させることができる。
【００１３】
また、上記の案内通知は、ユーザによる携帯端末への操作に基づいているため、当該案内通知を正常に受信できなかった場合、案内通知を受信できていないことをユーザは容易に認識することができる。よって、案内通知が受信できない何らかの不具合が発生していることをユーザは容易に認識でき、これにより、例えばユーザは案内通知を受信できない設定になっていることに気づき、当該設定を解除する等することができる。そして、その後の案内通知を確実に受信できるようにすることができる。換言すれば、ユーザに対し画像データの上記状態を変更する機会（画像保存の機会）をより確実に認識させることができる。
【００１４】
本発明の一態様に係る管理サーバでは、前記画像データ有無判定部は、前記管理サーバに撮影日から所定期間内の画像データであって、前記連絡先情報と対応付けられた前記画像データが有る場合、画像データが有ると判定するものであってもよい。
【００１５】
前記の構成によれば、撮影日から所定期間内の画像データのみを上記案内通知で案内する対象とするので、案内対象となる画像データが無限に増えてしまうことを防止することができる。
【００１６】
本発明の一態様に係る管理サーバでは、前記案内通知送信部は、撮影された前記撮影編集装置が異なる画像データであっても、前記連絡先情報と対応付けられた前記画像データであれば、当該画像データの前記状態を変更するための１件の案内通知を送信するものであってもよい。
【００１７】
前記の構成によれば、対応する連絡先情報が同じであれば、異なる撮影編集装置で撮影された画像であっても１件の案内通知により画像データの状態の変更を案内することができる。これにより、撮影編集装置毎に案内通知を送信する場合と比較して、ユーザの利便性を向上させることができる。
【００１８】
本発明の一態様に係る管理サーバでは、前記取得部は、前記連絡先情報として、前記携帯端末の電子メールアドレス、前記携帯端末にインストールされているＳＮＳ（social networking service）アプリケーションのＩＤ、および前記画像管理サービスのアカウントＩＤのうちの少なくとも何れかを取得するものであってもよい。
【００１９】
前記の構成によれば、連絡先情報として、携帯端末の電子メールアドレス、携帯端末にインストールされているＳＮＳアプリケーションのＩＤ、および画像管理サービスのアカウントＩＤのうちの少なくとも何れかを用いることができる。
【００２０】
本発明の一態様に係る管理サーバでは、前記画像管理サービスを提供するウェブページに、前記案内通知の送信を求める指示入力画像を表示するウェブページ作成部をさらに備え、前記のユーザによる携帯端末への操作は、前記指示入力画像に対する入力操作であってもよい。
【００２１】
前記の構成によれば、ユーザによる入力画像に対する入力操作に対し、案内通知を送信することができる。
【００２２】
本発明の一態様に係る管理サーバでは、前記ウェブページ作成部は、前記入力操作を受け付けたとき、前記携帯端末に対し、送信元を前記携帯端末の連絡先情報、送信先を当該管理サーバで受信可能な連絡先情報とするメッセージを送信可能なメッセージ送信画面を表示させるコマンドを送信するものであってもよい。
【００２３】
前記の構成によれば、指示入力画像に対する入力操作があったときに、コマンドとして送信元を携帯端末の連絡先情報としたメッセージを送信する。これにより、管理サーバは、当該連絡先情報宛に案内通知を送信することができるので、ユーザが操作中の携帯端末に対して確実に案内通知を送信することができる。
【００２４】
前記課題を解決するために、本発明の一態様に係る携帯端末は、前記管理サーバと通信可能な携帯端末であって、前記画像データを、前記画像管理サービスにおいて当該ユーザが利用できる状態に変更するための案内通知を前記管理サーバから当該携帯端末に送信させるための指示入力画像を表示する表示制御部と、ユーザによって前記指示入力画像に対して指示入力が行われたとき、当該携帯端末への連絡先情報を前記管理サーバに送信する送信部と、を備えていることを特徴としている。
【００２５】
前記の構成によれば、指示入力画像が押下されたとき、案内通知を管理サーバに送信させる指示を該管理サーバに送信する。すなわち、ユーザによる携帯端末への操作に基づいて、当該携帯端末へ、画像データを画像管理サービスにおいて当該ユーザが利用できる状態に変更するための案内通知を送信させる。
【００２６】
これにより、画像データの上記状態を変更するための機会をユーザに認識させることができる。
【００２７】
また、上記の案内通知は、ユーザによる携帯端末への操作に基づいているため、当該案内通知を正常に受信できなかった場合、案内通知を受信できていないことをユーザは容易に認識することができる。よって、案内通知が受信できない何らかの不具合が発生していることをユーザは容易に認識でき、これにより、例えばユーザは案内通知を受信できない設定になっていることに気づき、当該設定を解除する等することができる。そして、その後の案内通知を確実に受信できるようにすることができる。換言すれば、ユーザに対し画像データの上記状態を変更する機会（画像保存の機会）をより確実に認識させることができる。
【００２８】
本発明の一態様に係る携帯端末では、前記送信部は、ユーザによって前記指示入力画像に対して指示入力が行われたとき、送信元を当該携帯端末の連絡先情報、送信先を前記管理サーバで受信可能な連絡先情報とするメッセージを送信可能なメッセージ送信画面を表示させるものであってもよい。
【００２９】
前記の構成によれば、メッセージを送信することにより、自携帯端末の連絡先情報を管理サーバに伝えることができ、管理サーバから自携帯端末に対し確実に案内通知を送信させることができる。
【００３０】
前記課題を解決するために、本発明の一態様に係る管理サーバの制御方法は、写真撮影編集サービスを提供する撮影編集装置から画像データを、通信ネットワークを介して受信し、該画像データを管理する画像管理サービスを提供する管理サーバの制御方法であって、ユーザによる携帯端末への操作に基づいて、当該携帯端末への連絡先情報を取得する取得ステップと、前記取得ステップで取得した前記連絡先情報と対応付けられた前記画像データの有無を判定する画像データ有無判定ステップと、前記画像データ有無判定ステップで前記管理サーバに前記画像データが有ると判定した場合、当該画像データを、前記画像管理サービスにおいて当該ユーザが利用できる状態に変更するための案内通知を前記連絡先情報宛に送信する案内通知送信ステップと、を含むことを特徴としている。
【００３１】
前記課題を解決するために、本発明の一態様に係る携帯端末の制御方法は、  写真撮影編集サービスを提供する撮影編集装置から画像データを、通信ネットワークを介して受信し、該画像データを管理する画像管理サービスを提供する管理サーバと通信可能な携帯端末の制御方法であって、前記画像データを、前記画像管理サービスにおいて当該ユーザが利用できる状態に変更するための案内通知を前記管理サーバから当該携帯端末に送信させるための指示入力画像を表示する表示制御ステップと、ユーザによって前記指示入力画像に対して指示入力が行われたとき、当該携帯端末への連絡先情報を前記管理サーバに送信する送信ステップと、を含むことを特徴としている。
【００３２】
本発明の各態様に係る携帯端末は、コンピュータによって実現してもよく、この場合には、コンピュータを上記携帯端末が備える各部（ソフトウェア要素）として動作させることにより上記携帯端末をコンピュータにて実現させる携帯端末の制御プログラム、およびそれを記録したコンピュータ読み取り可能な記録媒体も、本発明の範疇に入る。
【発明の効果】
【００３３】
本発明の一態様によれば、ユーザは、画像保存の機会をより確実に認識することができる。
【図面の簡単な説明】
【００３４】
【図１】本発明の第１実施形態に係る管理サーバの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の 第１実施形態に係る携帯端末の要部構成を示すブロック図である。
【図１２】本発明の第１実施形態に係る処理の流れを示すフローチャートである。
【図１３】本発明の第１実施形態に係る会員データベースの例を示す図である。
【図１４】本発明の第１実施形態に係る画像保存判定データベースの例を示す図である。
【図１５】本発明の第１実施形態に係る画面例を示す図である。
【図１６】本発明の第１実施形態に係る案内メール例を示す図である。
【図１７】本発明の第２実施形態に係る処理の流れを示すフローチャートである。
【図１８】本発明の第２実施形態に係る処理の流れを示すフローチャートである。
【発明を実施するための形態】
【００３５】
〔実施形態１〕
本発明の第１実施形態について、図１〜図１６を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００３６】
（撮影画像管理システム１０）
図２は、本発明の第１実施形態に係る撮影画像管理システム１０の構成を示す図である。図２に示すように、撮影画像管理システム１０は、写真シール作成装置（撮影編集装置）１、携帯端末６、および管理サーバ４を備えている。
【００３７】
撮影画像管理システム１０の概要について、以下に説明する。撮影画像管理システム１０は、ユーザの写真撮影、画像の編集、画像の写真シールとしての印刷、および画像提供サイトへの画像の保存を実現するサービス（画像管理サービス、写真撮影編集サービス）をユーザに提供する。写真撮影、画像編集、および写真シール印刷のサービスは、ゲームセンターなどの店舗に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００３８】
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００３９】
ユーザは、自身の会員属性を、無料会員から有料会員に変更することができる。有料会員は、一定の会費（費用）を継続的に支払う必要がある代わりに、画像提供サイトに無制限に画像を保存できる。本実施形態では、一回の写真撮影によって生成された撮影画像を全て画像提供サイトに保存できる。
【００４０】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。
【００４１】
なお、上記ではメールアドレスを入力する例を挙げたが、これに限られるものではない。例えば、ＳＮＳ（social networking service）のＩＤであってもよい。また、ユーザが自身のメールアドレス等を入力するのではなく、写真シール作成装置1が携帯端末６の端末ＩＤを近距離無線通信により取得する構成であってもよい。
【００４２】
ゲームの終了後、ユーザは写真シールを手に入れる。一方、写真シール作成装置１は、生成した画像に、入力されたユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用の画像記憶領域に、画像が保存される。
【００４３】
画像提供サイトへの画像保存後、ユーザは、携帯端末６または所望の他の装置を用いて画像提供サイトにログインして、画像をダウンロードすることができる。
【００４４】
（写真シール作成装置の構成）
撮影画像管理システム１０を構成する各装置の構成および機能について、以下に詳細に説明する。まず、写真シール作成装置１の詳細について、図３〜図１０を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００４５】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００４６】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００４７】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００４８】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００４９】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００５０】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００５１】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００５２】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００５３】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００５４】
図３に示す編集部１２の構成を正面側の構成とすると、２組のユーザが同時に編集することができるように、編集部１２の正面側と背面側には編集制御に用いられる構成がそれぞれ設けられる。
【００５５】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００５６】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００５７】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００５８】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００５９】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００６０】
（ユーザの移動）
写真シール作成ゲームの流れと、それに伴うユーザの移動について図５を参照して説明する。図５は、ユーザの移動について説明する図である。
【００６１】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００６２】
なお、ユーザの画像の撮影においては、すべての撮影がシール紙に印刷される画像を撮影するものとは限らず、携帯端末６に送信するため（または、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００６３】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００６４】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００６５】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００６６】
画像の印刷が終了したとき、ユーザは、事後接客部１３に設けられた排出口からシール紙を受け取り、一連の写真シール作成ゲームを終えることになる。
【００６７】
（各部材の構成）
次に、写真シール作成装置１に備えられる各部材の構成について説明する。
【００６８】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００６９】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００７０】
正面パネル４１のほぼ中央には撮影・表示ユニット８１が設けられる。撮影・表示ユニット８１は、カメラ９１、正面ストロボ９２、およびタッチパネルモニタ９３から構成される。
【００７１】
カメラ９１は、ＣＣＤ（Charge Coupled Device）またはＣＭＯＳ（Complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００７２】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００７３】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００７４】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００７５】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００７６】
足元ストロボ８６の右側には、ユーザがお金を投入する硬貨投入返却口８７が設けられる。
【００７７】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００７８】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００７９】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００８０】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００８１】
タブレット内蔵モニタ１３１は、タッチペン１３２Ａおよび１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００８２】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００８３】
（事後接客部１３）
編集部１２の左側には事後接客部１３が設けられる。図９は、写真シール作成装置１に備えられる事後接客部１３の構成例を示す図である。
【００８４】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００８５】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００８６】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００８７】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００８８】
スピーカ１６５は、事後接客時の案内音声、ＢＧＭ、効果音等の音を出力する。
【００８９】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００９０】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００９１】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００９２】
通信部２０３はインターネットなどのネットワークのインタフェースであり、制御部２０１による制御に従って外部の装置と通信を行う。
【００９３】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００９４】
ＲＯＭ２０６には、制御部２０１において実行されるプログラムおよびデータが記憶されている。ＲＡＭ２０７は、制御部２０１が処理するデータおよびプログラムを一時的に記憶する。
【００９５】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【００９６】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００９７】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【００９８】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【００９９】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【０１００】
カメラ９１は、制御部２０１による制御に従って撮影を行い、撮影によって得られた画像（画像）を制御部２０１に出力する。また、カメラ９１は、後述するユーザ認証を行う場合、ユーザの身体の一部、ユーザの姿勢（ポーズ）、または、ユーザの動き（ジェスチャー）を静止画または動画として撮影することにより、画像認証に係る情報（画像認証情報）を生成するための画像（認証用画像）を撮影し、制御部２０１に送信しても良い。
【０１０１】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【０１０２】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【０１０３】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【０１０４】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【０１０５】
また、印刷部２１１は、印刷制御に係る処理において、シール紙への撮影画像（または編集画像）の印刷に加え、欄外（シール紙の端部など）に、管理サーバ４へ送信した画像を取得するためのＵＲＬ（Uniform Resource Locater）、および、シールＩＤ（画像取得用ＩＤ）などを印刷してもよい。シールＩＤとは、写真シール作成装置１において１ゲーム中に生成された１または複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【０１０６】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【０１０７】
なお、印刷部２１１は、画像を取得するための情報として、ＵＲＬではなく、例えば、所定のメールアドレスまたはＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコードが印刷されている場合には、ユーザは、携帯端末６を用いてＱＲコードの示すウェブページへアクセスすることにより、画像取得用ページへ直接アクセスすることもできる。
【０１０８】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【０１０９】
なお、管理サーバ４は、記憶部４０２の会員データベース４２２に格納された会員情報を写真シール作成装置１に定期的に送信してもよい。なお、写真シール作成装置１が、会員情報を定期的にダウンロードしてもよい。この場合、管理サーバ４と写真シール作成装置１とは、通信負荷が比較的少ない午前中や夜間に通信を行い、会員情報を送受信することが望ましい。
【０１１０】
（制御部４０１の詳細）
図１に示すように、制御部４０１は、通信制御部４１１、メール処理部４１２、ウェブページ作成部４１３、画像管理部（保存処理部）４１４、および認証部４１５を備えている。
【０１１１】
（通信制御部４１１）
通信制御部４１１は、通信部４０３による通信を制御する。
【０１１２】
（メール処理部４１２）
メール処理部４１２は、写真シール作成装置１で遊んだユーザのメールアドレス宛に送信されるメールを作成する等のメールに関する処理を行う。より詳細には、メール処理部４１２は、ユーザアドレス取得部（取得部）４１２１、アドレス判定部４１２２、画像確認部（画像データ有無判定部）４１２３、および案内メール作成部（案内通知送信部）４１２４を含む。
【０１１３】
ユーザアドレス取得部４１２１は、携帯端末６から当該携帯端末６のメールアドレス（連絡先情報）を取得する。
【０１１４】
アドレス判定部４１２２は、ユーザアドレス取得部４１２１が取得したメールアドレスと同じメールアドレスが画像データベース４２４にあるか否かを判定する。
【０１１５】
画像確認部４１２３は、アドレス判定部４１２２が判定した同じメールアドレスに対応付けられた画像であって、撮影日から所定期間（例えば１週間）内の画像があるか否かを確認する。
【０１１６】
案内メール作成部４１２４は、画像確認部４１２３が確認した画像をユーザが取得する（マイページに保存する）ためのＷｅｂページ等を示す案内メール（案内通知とも呼ぶ）をユーザアドレス取得部４１２１が取得したメールアドレス宛に送信する。案内メール作成部４１２４は、画像が撮影された写真シール作成装置１の数に関わらず、メールアドレスに対応する画像全てのユーザが取得するための案内メールを１通作成してもよいし、写真シール作成装置１毎にそれぞれ案内メールを作成してもよい。また、ユーザが購入した商品ごとにそれぞれ案内メールを作成してもよい。
【０１１７】
また、案内メール作成部４１２４は、画像の保存を案内するメールを作成し、メールデータベース４２１に格納されているデータを用いて、写真シール作成装置１から受信したユーザのメールアドレス宛に送信する。
【０１１８】
なお、携帯端末６から取得する携帯端末６の連絡先がメールアドレスでない場合、例えば、ＳＮＳのＩＤ（連絡先情報）、画像管理サービスにおけるアカウントＩＤ（連絡先情報）、携帯端末６の端末ＩＤ（連絡先情報）等（以降、これらをまとめてＩＤ情報とも呼ぶ）であった場合、上記ユーザアドレス取得部４１２１が当該ＩＤ情報を取得し、アドレス判定部４１２２が当該ＩＤ情報と対応するＩＤが会員データベース４２２に存在するか否かを判定するとともに、存在すれば、ＩＤ情報に対応するメールアドレスを取得する。メールアドレス取得後は、画像確認部４１２３、および案内メール作成部４１２４が上記の処理を行う。
【０１１９】
（ウェブページ作成部４１３）
ウェブページ作成部４１３は、携帯端末６、または、写真シール作成装置１（後述する各種モニタ）に表示されるウェブページを作成する。本実施形態では、ウェブページ作成部４１３は、ウェブページデータベース４２３に格納されているデータを用いて、携帯端末６または写真シール作成装置１から受信したアクセス要求に応じたウェブページを作成し、通信制御部４１１に出力する。また、ウェブページ作成部４１３は、ユーザの会員種別に応じたウェブページを作成する。
【０１２０】
なお、以下において「ページ」は、例えば、ウェブページのように、管理サーバ４が携帯端末６等の通信端末または写真シール作成装置１に送信して表示するためのデータを意味する。上記ページには、通常、テキストデータおよび画像データが含まれており、さらに、音声データおよび動画データが含まれていてもよい。
【０１２１】
また、ウェブページ作成部４１３は、画像管理サービスを提供するためのサイト（画像提供サイト）を作成し、当該サイトにはユーザが案内通知を要求するための案内通知要求ボタン（指示入力画像）が表示されている。なお、指示入力画像は、案内通知要求ボタンのようにボタン画像であってもよいし、リンクテキストであってもよい。
【０１２２】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。換言すれば、写真シール作成装置１から受信した画像データのうち、当該ユーザに関連づけられている画像データを、画像管理サービスにおいて当該ユーザが利用できる状態に変更する。
【０１２３】
（記憶部４０２の詳細）
図１に示すように、記憶部４０２は、メールデータベース４２１、会員データベース４２２、ウェブページデータベース４２３、および画像データベース４２４を含む。
【０１２４】
（メールデータベース４２１）
メールデータベース４２１は、ユーザに送信するメールを作成するための各種データを格納している。
【０１２５】
（会員データベース４２２）
会員データベース４２２は、画像提供サイトの会員であるユーザに関する各種情報（会員情報）を格納している。図１３に、会員データベース４２２の例を示す。図１３に示すように、本実施形態では、会員データベース４２２には、例えば、ユーザの会員ＩＤ、メールアドレス、ニックネーム、パスワード、生年月日、住所、会員属性、入会日、および、ユーザが保有する携帯端末の端末ＩＤが対応付けて格納されている。なお、会員属性としては、例えば、有料会員および無料会員などを挙げることができる。なお、有料会員には、通常の有料会員と、通常の有料会員よりも特典の多いプラス会員が存在する。
【０１２６】
（ウェブページデータベース４２３）
ウェブページデータベース４２３は、携帯端末６または写真シール作成装置１に表示される画像提供サイトのウェブページを作成するための各種データを格納している。
【０１２７】
（画像データベース４２４）
画像データベース４２４は、写真シール作成装置１によって作成されたユーザの画像が格納されている。また、これらの画像は、ユーザがマイページに保存したか否かが分かるように保存されている。具体的に図１４を参照して説明する。図１４は、画像データベース４２４の例を示す。図１４に示すように、画像データベース４２４には、会員ＩＤ、パスワード、メールアドレス、シールＩＤ、シール機で撮影した撮影日時、撮影画像データ、および画像保存の有無が記録されている。例えば、会員ＩＤ「００１」のユーザが撮影した画像データが、Ａ１、Ａ２、Ａ３と３枚あり、そのうちのＡ１をマイページに保存していた場合、図１４に示すように、「撮影画像データ」Ａ１に対応する「画像保存の有無」には保存されていることを示す情報（図１４では○で示す）が記録され、保存されていないＡ２およびＡ３に対応する「画像保存の有無」には保存されていないことを示す情報（図１４では×で示している）が記録される。そして、保存されていない状態（×）において、保存が実行されると×から○に変更される。なお、保存されていない場合は「NULL」と記録し、保存された場合は、当該「NULL」が削除されるものであってもよい。
【０１２８】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１２９】
（携帯端末６）
図１１は、本発明の実施形態１に係る携帯端末６の要部構成を示すブロック図である。この図に示すように、携帯端末６は、主に、制御部６０１、記憶部６０２、通信部６０３、入力部６０４、表示部６０５、およびカメラ部６０６を備えている。制御部６０１は、携帯端末６に備えられる各部材を統括制御する。記憶部６０２は、携帯端末６において使用される各種データを記憶する。携帯端末６は、撮影画像管理システム１０を構成する他の装置と通信する。入力部６０４は、タッチパネルなどの、ユーザが携帯端末６に情報を入力するための装置である。表示部６０５は、液晶表示装置などの、情報を表示するための装置である。カメラ部６０６は、撮影を行うものである。
【０１３０】
（制御部６０１の詳細）
図１１に示すように、制御部６０１は、通信制御部（送信部）６１１、入力制御部６１２、および表示制御部６１３を備えている。
【０１３１】
通信制御部６１１は、通信部６０３による通信を制御する。入力制御部６１２は、入力部６０４およびカメラ部６０６における情報入力を制御する。例えば、カメラ部６０６により撮影された画像を通信部６０３を介して管理サーバ４に送信する。表示制御部６１３は、表示部６０５における情報表示を制御する。たとえば、通信制御部６１１から入力されたウェブページを表示制御部６１３が表示部６０５に出力することによって、当該ウェブページを表示部６０５に表示させることができる。
【０１３２】
（案内メールの送信処理の流れ）
次に、図１２を参照して、本実施形態における案内メールの送信処理の流れについて説明する。
【０１３３】
まず、ユーザが写真シール作成装置１にてプレイ（撮影）を行う。このとき、写真シール作成装置１は、ユーザのメールアドレスの入力を受け付ける（Ｓ１０１）。写真シール作成装置１では、入力されたメールアドレスが正常か否かを判定し（Ｓ１０２）、正常でないと判定した場合（Ｓ１０２でＮＯ）、ステップＳ１０１に戻る。メールアドレスが正常であるか否かは、例えば、メールアドレスの一部が全角になっている、アットマーク「＠」の直前にピリオド「.」がある、「….」が連続して入力されている、アットマーク「＠」の前の部分がダブルクォーテーションで囲まれている、アットマーク「＠」のの前の部分が空欄である等の場合に異常と判定することができる。
【０１３４】
次に、写真シール作成装置１は、撮影画像を示す撮影画像データと受け付けたメールアドレスとを紐づけて管理サーバ４に送信する（Ｓ１０３）。撮影画像データとメールアドレスとを受信した管理サーバ４の画像管理部４１４は、当該撮影画像データとメールアドレスとを画像データベース４２４に格納する（Ｓ１０４）。
【０１３５】
次に、管理サーバ４のメール処理部４１２は、撮影画像をユーザのマイページに保存するための案内通知（案内メール）を当該画像と紐づけられているメールアドレス宛に送信する（Ｓ１０５）。携帯端末６において案内メールを正常に受信できれば（Ｓ１０６でＹＥＳ）、案内メールに従って行われたユーザ操作により、撮影画像をユーザのマイページに保存する（Ｓ１０７）。図１６に案内メールの例を示す。図１６に示すように、案内メールには、画像を保存するためのＵＲＬが記載されている。図１６に示す例では「保存用ＵＲＬ」と記載されている。
【０１３６】
一方、例えば、管理サーバ４からのメールが迷惑メールとして設定されている等により、携帯端末６にて正常に案内メールを受信できなかった場合（Ｓ１０６でＮＯ）、画像をマイページに保存できないままの状態となる。
【０１３７】
この状態において、管理サーバ４のウェブページ作成部４１３は、当該サイトに案内通知要求ボタンを表示している。よって、ユーザが携帯端末６を用いて管理サーバ４により提供されている画像提供サイトにアクセスすると（Ｓ１０８、Ｓ１０９）、画像提供サイトに案内通知要求ボタン（指示入力画像）が表示されている状態となる（Ｓ１１０）。案内通知ボタンの表示例を図１５の表示例１５０１、表示例１５０２（メッセージ送信画面）に示す。画像提供サイトにおいて、例えばメールアイコン１５１０をタップすると、表示例１５０２に示すように案内通知要求ボタンが表示される。表示例１５０２では、案内通知要求ボタンの例として再送ボタン１５１１が示されている。なお、再送ボタン１５１１は一例であり、例えば「案内通知要求」と文言で記載されているボタンが表示されていてもよい。
【０１３８】
そして、上記案内通知要求ボタンを表示されている状態（表示制御ステップ）で、案内通知要求ボタンが押下されると（Ｓ１１１でＹＥＳ）、携帯端末６はメールアプリケーションを起動し、管理サーバ４に対し空メールの送信を行える状態となる。メールアプリケーションが起動され、管理サーバ４に対し空メールの送信を行える状態となる表示例を図１５の表示例１５０３に示す。表示例１５０３には空メールを送信可能な状態が示されている。なお、ユーザによる携帯端末への操作は、画像管理サービスにおけるサイトに表示される、案内通知の送信を求める表示（指示入力画像）に対する入力操作と言える。また、管理サーバ４は、前記入力操作を受け付けたとき、携帯端末６に対し、送信元を携帯端末６の連絡先情報、送信先を管理サーバ４の連絡先情報とするメッセージを送信可能なメッセージ送信画面を表示させていると言える。換言すれば、管理サーバ４のウェブページ作成部４１３は、指示入力画像に対する入力操作を受け付けたとき、携帯端末６に対し、送信元を携帯端末６の連絡先情報、送信先を管理サーバ４で受信可能な連絡先情報とするメッセージを送信可能なメッセージ送信画面を表示させるコマンドを送信していると言える。
【０１３９】
そして、ユーザ操作により携帯端末６から管理サーバ４に対し空メールが送信されると（Ｓ１１２、送信ステップ）、管理サーバ４のアドレス判定部４１２２は、受信した空メールのメールアドレスと一致するメールアドレスが画像データベース４２４にあるか否かを判定する（Ｓ１１３、取得ステップ）。一致するメールアドレスがあれば（Ｓ１１３でＹＥＳ）、画像確認部４１２３は当該メールアドレスと対応付けられた画像であって、撮影日から所定期間内の画像があるか否かを確認する（Ｓ１１４、画像データ有無判定ステップ）。そして、対応する画像があれば（Ｓ１１４でＹＥＳ）、案内メール作成部４１２４は、当該画像をユーザのマイページの保存するための案内メールを空メールの送信元へ送信する（Ｓ１１５、案内通知送信ステップ）。
【０１４０】
ここで、ユーザが管理サーバ４からのメールに対し迷惑メールの設定をしていなければ、上記案内メールを正常に受信し、画像の保存処理を行うことができる。一方、迷惑メール設定をしている場合、携帯端末６は案内メールを正常に受信することができない。ただし、ユーザは、直近に案内通知要求ボタンを押下しているため、案内メールが届かなかった場合、何らかの不具合を認識することができる。そこで、迷惑メール設定がされていることを認識すること可能となり、当該設定を解除することにより、管理サーバ４からのメールを正常に受信することができるようになる。これにより、画像をユーザのマイページに保存することも可能となる。
【０１４１】
なお、上記ではステップＳ１１２において、メールアプリケーションを起動し、電子メールを送信することにより、案内通知の要求を行った。案内通知の要求は電子メールの送信に限られるものではなく、ＳＮＳによるメッセージ等を送信することによって行ってもよい。すなわち、案内通知要求ボタンが押下されたときに、ＳＮＳアプリケーションを起動し、ＳＮＳによるメッセージを送信可能な画面を表示し、ユーザの操作に基づいてメッセージを送信してもよい。
【０１４２】
以上のように、本実施形態に係る管理サーバ４は、写真撮影編集サービスを提供する写真シール作成装置１から画像データを、通信ネットワークを介して受信し、該画像データを管理する画像管理サービスを提供する管理サーバ４であって、ユーザによる携帯端末６への操作に基づいて、当該携帯端末６への連絡先情報（例えば、電子メールアドレス）を取得するユーザアドレス取得部４１２１と、ユーザアドレス取得部４１２１が取得した前記連絡先情報と対応付けられた前記画像データの有無を判定する画像確認部４１２３と、画像確認部４１２３が前記画像データが有ると判定した場合、当該画像データを、前記画像管理サービスにおいて当該ユーザが利用できる状態に変更するための案内通知を前記連絡先情報宛に送信する案内メール作成部４１２４と、を備えている。
【０１４３】
〔実施形態２〕
本実施形態では、携帯端末６にインストールされているアプリケーションの機能により、携帯端末６の表示部６０５に、実施形態１で説明した「案内通知要求ボタン」に相当する表示を行う。これにより、上述した実施形態１と同様の効果を奏することができる。
【０１４４】
図１７を参照して、本実施形態における処理について説明する。図１７は、本実施形態における処理の流れを示すフローチャートである。
【０１４５】
図１７に示すように、まず、ユーザが写真シール作成装置１にてプレイ（撮影）を行う。このとき、写真シール作成装置１は、ユーザのメールアドレスの入力を受け付ける（Ｓ２０１）。写真シール作成装置１では、入力されたメールアドレスが正常か否かを判定し（Ｓ２０２）、正常でないと判定した場合（Ｓ２０２でＮＯ）、ステップＳ２０１に戻る。
メールアドレスが正常であるか否かの判断は、上述した方法で行う。
【０１４６】
次に、写真シール作成装置１は、撮影画像を示す撮影画像データと受け付けたメールアドレスとを紐づけて管理サーバ４に送信する（Ｓ２０３）。撮影画像データとメールアドレスとを受信した管理サーバ４の画像管理部４１４は、当該撮影画像データとメールアドレスとを画像データベース４２４に格納する（Ｓ２０４）。
【０１４７】
次に、管理サーバ４のメール処理部４１２は、撮影画像をユーザのマイページに保存するための案内メールを当該画像と紐づけられているメールアドレス宛に送信する（Ｓ２０５）。携帯端末６において案内メールを正常に受信できれば（Ｓ２０６でＹＥＳ）、案内メールに従って行われたユーザ操作により、撮影画像をユーザのマイページに保存する（Ｓ２０７）。
【０１４８】
一方、例えば、管理サーバ４からのメールが迷惑メールとして設定されている等により、携帯端末６にて正常に案内メールを受信できなかった場合（Ｓ２０６でＮＯ）、画像をマイページに保存できないままの状態となる。
【０１４９】
この状態において、ユーザは、画像の管理に関するアプリケーションを起動する（Ｓ２０８）。アプリケーションは、その機能により、表示部６０５に案内通知要求ボタンを表示している（Ｓ２０９）。そして、案内通知要求ボタンが押下されると（Ｓ２１０でＹＥＳ）、携帯端末６はメールアプリケーションを起動し、管理サーバ４に対し空メールの送信を行える状態となる。そして、ユーザ操作により携帯端末６から管理サーバ４に対し空メールが送信されると（Ｓ２１１）、管理サーバ４のアドレス判定部４１２２は、受信したからメールのメールアドレスと一致するメールアドレスが画像データベース４２４にあるか否かを判定する（Ｓ２１２）。一致するメールアドレスがあれば（Ｓ２１２でＹＥＳ）、画像確認部４１２３は当該メールアドレスと対応付けられた画像であって、撮影日から所定期間内の画像があるか否かを確認する（Ｓ２１３）。そして、対応する画像があれば（Ｓ２１３でＹＥＳ）、案内メール作成部４１２４は、当該画像をユーザのマイページの保存するための案内メールを空メールの送信元へ送信する（Ｓ２１４）。
【０１５０】
なお、上記ステップＳ２０８では、メールアプリケーションを起動し、電子メールを送信することにより、案内通知の要求を行った。案内通知の要求は電子メールの送信に限られるものではなく、ＳＮＳによるメッセージ等を送信することによって行ってもよいし、
上記の画像の管理に関するアプリケーション自体がメッセージを送信してもよい。すなわち、案内通知要求ボタンが押下されたときに、ＳＮＳアプリケーションを起動し、ＳＮＳによるメッセージを送信可能な画面を表示し、ユーザの操作に基づいてメッセージを送信してもよいし、画像の管理に関するアプリケーション自体が当該アプリケーションによるメッセージを送信可能な画面を表示し、ユーザの操作に基づいてメッセージを送信してもよい。
【０１５１】
以上のように、本発明では、実施形態１で説明したように、管理サーバ４により提供される画像提供サイトを携帯端末６のブラウザ等で閲覧し、画像提供サイトにより表示されている指示入力画像に対し操作を行って案内通知の送信を要求することもできるし、実施形態２で説明したように、携帯端末６にインストールされている画像の管理に関するアプリケーションの機能により表示されている指示入力画像に対し操作を行って案内通知の送信を要求することもできる。
【０１５２】
〔実施形態３〕
本実施形態では、携帯端末６にて受け付けたシールＩＤに基づいて、管理サーバ４から携帯端末６に案内メールを送信するものである。上述したように、画像データベース４２４にはシールＩＤとメールアドレス、画像データとが対応付けて格納されている。よって、携帯端末６から管理サーバ４にシールＩＤを送信すれば、管理サーバ４は、シールＩＤに対応する画像データおよびメールアドレスを抽出し、さらに当該メールアドレスに対応する画像データを抽出することができる。そして当該画像データを保存するための案内メールを当該メールアドレス宛に送信することができる。
【０１５３】
図１８を参照して、具体的に説明する。図１８は、本実施形態における処理の流れ示すフローチャートである。
【０１５４】
図１８に示すように、まず、ユーザが写真シール作成装置１にてプレイ（撮影）を行う。このとき、写真シール作成装置１は、ユーザのメールアドレスの入力を受け付ける（Ｓ３０１）。そして、写真シール作成装置１は、撮影画像を示す撮影画像データと受け付けたメールアドレスとを紐づけてシールＩＤとともに管理サーバ４に送信する。撮影画像データ、メールアドレス、およびシールＩＤを受信した管理サーバ４の画像管理部４１４は、当該撮影画像データ、メールアドレス、シールＩＤを画像データベース４２４に格納する（Ｓ３０２）。
【０１５５】
その後、携帯端末６においてシールＩＤに入力を受け付けると（Ｓ３０３）、携帯端末６は管理サーバ４に対し当該シールＩＤを送信する（Ｓ３０４）。シールＩＤを受信した管理サーバ４は、画像データベース４２４を参照して、受信したシールＩＤに対応するメールアドレスを検索する（Ｓ３０５）。そして、対応するメールアドレスが存在すれば（Ｓ３０６でＹＥＳ）、管理サーバ４は当該メールアドレスに対応する画像データのうち、マイページに保存されていない画像があるか否かを判定する（Ｓ３０７）。マイページに保存されていない画像があれば（Ｓ３０７でＹＥＳ）、当該画像を保存するための案内メールを上記メールアドレス宛に送信する（Ｓ３０８）。
【０１５６】
これにより、当該ユーザが撮影した画像であって、ユーザのマイページに保存されていない画像をマイページに保存するための案内メールをユーザに送信することができる。
【０１５７】
なお、案内メールの送信は、ユーザがシールＩＤを入力したときだけではなく、画像保存期限が切れるタイミングで送信してもよい。すなわち、例えば、撮影日から１週間の画像保存可能期間があるとした場合、当該１週間が切れる前に案内メールを送信してもよい。
【０１５８】
また、メールアドレスに対応する画像データが複数あり、それぞれの画像を撮影した写真シール作成装置１および撮影日が異なる場合、最も早い撮影日から１週間の期限が切れる前に案内メールを送信してもよい。
【０１５９】
また、同日に複数回のプレイを行った場合等、同日で撮影時刻の異なる複数の画像データがある場合、最も早い撮影日時から１週間の期限が切れる前に案内メールを送信してもよい。
【０１６０】
〔実施形態４〕
上述したように、写真シール作成装置１では、プレイ後にユーザのメールアドレスの入力を受け付け、管理サーバ４では、メールアドレスと画像データとを対応付けて格納している。ただ、昨今のユーザは、複数のメールアドレスを有していることが多く、ユーザが、画像管理サービスを利用するにあたり、どのメールアドレスを用いて行っているのか認識していない場合も考えられる。
【０１６１】
そこで、本実施形態では、ユーザが、画像管理サービスを利用するにあたり用いているメールアドレスを、当該ユーザに容易に認識させる。具体的には、ユーザが画像管理サービスにログインしている場合、当該画像管理サービスにおける画面中に、「メールアドレス表示ボタン」を設ける。そして、当該「メールアドレス表示ボタン」が押下された場合、管理サーバ４は、ログイン中のユーザアカウント（ユーザＩＤ）と対応するメールアドレスを画像データベース４２４から抽出し、携帯端末６に表示する。これにより、ユーザは、自身が当該画像管理サービスに用いているメールアドレスを容易に認識できる。
【０１６２】
そして、ユーザは、写真シール作成装置１でのプレイ後にメールアドレスを入力する場合、携帯端末６に表示されているメールアドレスを確認できるので、確実に正しいメールアドレスを入力することができる。
【０１６３】
〔実施形態５〕
携帯端末６にインストールされている画像管理サービスに関するアプリケーションのアプリＩＤ、または携帯端末６の端末ＩＤを、写真シール作成装置１が携帯端末６から取得し、管理サーバ４に送信して、アプリＩＤまたは端末ＩＤに基づいて管理サーバ４が案内通知を携帯端末６に送信する構成であってもよい。なお、アプリＩＤとは、アプリケーションをインストールする際に付与されるユニークな番号である。
【０１６４】
例えば、ユーザが写真シール作成装置１でプレイ中に、写真シール作成装置１は、ユーザの携帯端末６からアプリＩＤ、または端末ＩＤを取得する。アプリＩＤまたは端末ＩＤの取得は、近接無線通信等の公知の方法を用いることにより可能である。また、写真シール作成装置１に表示しているＱＲコードをユーザが携帯端末６にて読み取る際に取得してもよい。
【０１６５】
アプリＩＤを取得することにより、管理サーバ４は携帯端末６に対し、プッシュ通信で案内通知を送信することができる。
【０１６６】
〔ソフトウェアによる実現例〕
管理サーバ４および携帯端末６の制御ブロック（特に制御部４０１および制御部６０１）は、集積回路（ＩＣチップ）等に形成された論理回路（ハードウェア）によって実現してもよいし、ソフトウェアによって実現してもよい。
【０１６７】
後者の場合、管理サーバ４および携帯端末６は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１６８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１６９】
１  写真シール作成装置
４  管理サーバ
６  携帯端末
１０  撮影画像管理システム
４０１  制御部
４１２  メール処理部
４１２１  ユーザアドレス取得部（取得部）
４１２２  アドレス判定部
４１２３  画像確認部（画像データ有無判定部）
４１２４  案内メール作成部（案内通知送信部）
６０５  表示部
６１１  通信制御部（送信部）
６１３  表示制御部
【図１】
2020016855.tif 000003
【図２】
2020016855.tif 000004
【図３】
2020016855.tif 000005
【図４】
2020016855.tif 000006
【図５】
2020016855.tif 000007
【図６】
2020016855.tif 000008
【図７】
2020016855.tif 000009
【図８】
2020016855.tif 000010
【図９】
2020016855.tif 000011
【図１０】
2020016855.tif 000012
【図１１】
2020016855.tif 000013
【図１２】
2020016855.tif 000014
【図１３】
2020016855.tif 000015
【図１４】
2020016855.tif 000016
【図１５】
2020016855.tif 000017
【図１６】
2020016855.tif 000018
【図１７】
2020016855.tif 000019
【図１８】
2020016855.tif 000020